(57)【要約】【課題】感光体ドラムの交換時、交換作業性を悪化させることなく周辺機器に接触して感光体ドラムの外周面を傷付けることを防止できる電子写真式印刷装置の感光体ドラム装置等を提供することを提供すること。【解決手段】感光体ドラム装は、駆動軸に固定された第一端面部材と、駆動軸に着脱自在に支持された第二端面部材と、感光体ドラムと、駆動軸に支持され第一端面部材と第二端面部材との間に挟圧力を発生させる挟圧手段と、第一端面部材にあり感光体ドラムの内周面に接近して軸方向に延在する複数のリブ部材を備え、複数のリブ部材に、感光体ドラムの内周面を押圧支持する保持部材を感光体ドラムの内周面に対し進退可能に設けた。【選択図】図１
2011053480.tif 000002
【特許請求の範囲】
【請求項１】
駆動軸と、該駆動軸に固定された第一端面部材と、前記駆動軸に着脱自在に支持された第二端面部材と、前記第一端面部材と前記第二端面部材との間に跨って支持され前記駆動軸と同心となる中空円筒形状の感光体ドラムと、前記駆動軸に支持され前記第一端面部材と前記第二端面部材との間に挟圧力を発生させる挟圧手段と、前記第一端面部材にあり前記感光体ドラムの内周面に接近して軸方向に延在する複数のリブ部材とを備えた電子写真式印刷装置の感光体ドラム装置であって、
前記複数のリブ部材に、前記感光体ドラムの内周面を押圧支持する保持部材を前記感光体ドラムの内周面に対し進退可能に設けたことを特徴とする電子写真式印刷装置の感光体ドラム装置。
【請求項２】
前記保持部材は、前記第二端面部材を装着した場合は退避し、前記第二端面部材を取外した場合は前記感光体ドラムを押圧する位置に突出するように設けられたことを特徴とする請求項１記載の電子写真式印刷装置の感光体ドラム装置。
【請求項３】
前記保持部材には、前記感光体ドラムの内周面に当接する部分に、前記感光体ドラム内周面との摩擦を軽減する摩擦軽減部材が設けられていることを特徴とする請求項１または２記載の電子写真式印刷装置の感光体ドラム装置。
【請求項４】
請求項１乃至３の何れか一項に記載の前記感光体ドラム装置と、露光装置と、現像機と、転写部とを備えたことを特徴とする電子写真式印刷装置。
【発明の詳細な説明】
【技術分野】
【０００１】
本発明は電子写真式印刷装置の感光体ドラム装置にかかり、特に、感光体ドラムの着脱機構を改善した電子写真式印刷装置の感光体ドラム装置に関する。
【背景技術】
【０００２】
従来技術における感光体ドラムの着脱をガイドするリブ部材を、帯電器、現像機および転写機等の感光体ドラムの外周面に近接して設けられている周辺機器が存在する領域から突出して設ける方法では、感光体ドラムの着脱を容易にするため、感光体ドラムの内周面とリブ部材との間に隙間を設けているので、感光体ドラムの着脱時に感光体ドラムががたつき、周辺機器に接触して感光体ドラムの表面を傷付ける問題がある。
【０００３】
上記問題を解決する手段として、図４に示すような、感光体ドラムの内周面とリブ部材との間の隙間を小さくすることが考えられるが、感光体ドラムの内周面とリブ部材との摩擦が大きくなり、交換作業性が悪化する問題がある。更には、感光体ドラムを印刷装置内に固定する際に感光体ドラムがリブ部材に片辺りし、斜めに固定される等の取付け精度面での不具合が発生する。
【０００４】
また、図５に示すような電子写真式印刷装置では、感光体ドラムの着脱時に、感光体ドラムを外部より覆うカバーの開閉に連動して周辺機器、例えば、現像機を感光ドラムから退避させる方法では、複雑な機構が必要となり、コストが増大するという問題が発生する。
【０００５】
ここで、関連技術として、感光ドラム着脱用ガイドの感光ドラム引き出し側端部に可動ガイドを設け、かつ、感光ドラムの着脱時に前記可動ガイドを前記感光ドラムの端部から突出させると共に、感光ドラムの定位置設置時には可動ガイドを感光ドラムの端部よりも内側に位置するように構成し、回転ドラム周辺の軸方向実装スペースを増大させることがない電子写真式印刷装置の感光ドラム支持装置を提供する技術が開示されている。例えば、特許文献１（特開２００８−１４５５１１号公報）が挙げられる。
【０００６】
また、画像形成装置本体に駆動軸を配設し、両切りタイプの感光体ドラムと、この感光体ドラムをその軸方向の前後両端側から一定の自由度をもって挾持すると共に中心部に駆動軸と嵌合する嵌合部を有する感光体ドラム支持部材と、感光体ドラム周りに配置される帯電装置、クリーニング装置及び除電装置が一体的に形成されて画像形成装置本体に対して着脱自在な感光体ドラムユニットを設け、この感光体ドラムユニットを画像形成装置本体に挿入した後に感光体ドラムを感光体ドラム支持部材に対して駆動軸を基準にして位置決め固定する感光体ドラム位置固定部材を設けたことで、画像形成装置本体に着脱自在な感光体ドラムユニットを画像形成装置本体に対して正確に位置決めし得る画像形成装置を提供する技術が開示されている。例えば、特許文献２（特開平０５−２８９５８８号公報）が挙げられる。
【０００７】
また、感光ドラムの引き出し側に位置するフランジに、その感光ドラムを内周面側から支持する保持手段を設けると共に、この保持手段を感光ドラムの内面に対して進退させる進退機構を設けた。そして、感光ドラムの分解時には、進退機構を操作して保持手段と感光ドラムとの接触を解き、その後、保持手段を設けたフランジを感光ドラムから引き出すことで、保持手段は感光ドラムから容易に分解することができる技術が開示されている。例えば、特許文献３（特開２００８−２０３４２５号公報）が挙げられる。
【発明の概要】
【発明が解決しようとする課題】
【０００８】
しかしながら、上述の関連技術では、感光体ドラムの交換時、交換作業性を悪化させることなく周辺機器に接触して感光体ドラムの外周面を傷付けることを防止し、且つ、取付け精度面での不具合を発生させること無く、更には、コストの増大を抑えることは困難であった。
【０００９】
本発明の目的は、上記した従来技術の問題点を解決し、感光体ドラムの交換時、交換作業性を悪化させることなく周辺機器に接触して感光体ドラムの外周面を傷付けることを防止でき、且つ取付け精度面での不具合が発生することが無く、更には、コストの増大を抑えることができる電子写真式印刷装置の感光体ドラム装置を提供することにある。
【課題を解決するための手段】
【００１０】
本発明の電子写真式印刷装置の感光体ドラム装置は、駆動軸と、該駆動軸に固定された第一端面部材と、前記駆動軸に着脱自在に支持された第二端面部材と、前記第一端面部材と前記第二端面部材との間に跨って支持され前記駆動軸と同心となる中空円筒形状の感光体ドラムと、前記駆動軸に支持され前記第一端面部材と前記第二端面部材との間に挟圧力を発生させる挟圧手段と、前記第一端面部材にあり前記感光体ドラムの内周面に接近して軸方向に延在する複数のリブ部材とを備えた電子写真式印刷装置の感光体ドラム装置であって、前記複数のリブ部材に、前記感光体ドラムの内周面を押圧支持する保持部材を前記感光体ドラムの内周面に対し進退可能に設けたことを特徴とする。
【００１１】
本発明の電子写真式印刷装置は、前記感光体ドラム装置と、露光装置と、現像機と、転写部とを備えたことを特徴とする。
【発明の効果】
【００１２】
本発明によれば、感光体ドラムの交換時、交換作業性を悪化させることなく周辺機器に接触して感光体ドラムの外周面を傷付けることを防止でき、且つ、取付け精度面での不具合が発生することを防ぐ。更には、コストの増大を抑えることができる。
【図面の簡単な説明】
【００１３】
【図１】本実施の形態に係る電子写真式印刷装置の感光体ドラム装置の構成例を示す図である。
【図２】本実施の形態に係る感光体ドラムを取り外す途中の状態を示す図である。
【図３】本実施の形態に係る感光体ドラムを取り外した状態を示す図である。
【図４】従来の電子写真式印刷装置の感光体ドラム装置の構成例を示す図である。
【図５】電子写真式印刷装置を示す図である。
【発明を実施するための形態】
【００１４】
以下、本発明の実施形態にかかる電子写真式印刷装置の感光体ドラム装置を図１〜図３に基づいて説明する。
【００１５】
図１に示す如く、本実施形態による電子写真式印刷装置の感光ドラム装置は、図示しない軸受けによって支持された駆動軸１と、この駆動軸１に固定された第一端面部材２と、駆動軸１に着脱自在に支持された第二端面部材３と、これら第一端面部材２と第二端面部材３との間に狭持され駆動軸１と同心となる中空円筒形状の感光体ドラム４と、駆動軸１にねじ込まれて第二端面部材３を締付けることで第二端面部材３と第一端面部材２の間に挟圧力を発生させ、感光体ドラム４を駆動軸１に固定するナット等からなる挟圧手段であるノブ５とから構成されている。
第一端面部材２は、感光体ドラム４の内周面に沿って延在する複数のリブ部材６を有しており、リブ部材６は、感光体ドラム４の周方向に沿って等間隔に複数設けられている。
また、感光体ドラム４の内部には、感光体ドラム４を保持し、且つ、感光体ドラム４の着脱時に取手となる取手部材７が取り付けられている。
【００１６】
そして、本発明による実施形態では、第一端面部材２に設けられたリブ部材６の感光体ドラム４の内周面側に位置する側に、感光体ドラム４の内周面を押圧支持する保持部材８がリンク９を介し感光体ドラム４の内周面に対して進退可能に設けられている。
保持部材８とリブ部材６との間には、保持部材８を感光体ドラム４の内周面に押し付ける方向に力が働くバネ等の弾性体１０が設けられている。
また、保持部材８の感光体ドラム４の内周面に当接する部分には、例えばコロ等の感光体ドラム４の内周面との摩擦を軽減する摩擦軽減部材１１が具備されている。
【００１７】
図２に示す如く、感光体ドラム４を交換する際には、第二端面部材３を取外し、感光体ドラム４の内部に取り付けられた取手部材７を持ち感光体ドラム４の着脱を行う。このとき、第二端面部材３を取外した状態では、保持部材８とリブ部材６との間に設けられた弾性体１０の力により、保持部材８は感光体ドラム４の内周面に押付けられているので、感光体ドラム４ががたつくことが無く、感光体ドラム４に近接して設けられている周辺機器との接触を防止することがきる。なお、感光体ドラム４の周辺機器には、露光装置１２と、現像機１３と、転写部１４とが備えられている。
【００１８】
また、保持部材８の感光体ドラム４の内周面に当接する部分には、感光体ドラム４の内周面との摩擦を軽減する摩擦軽減部材１１が具備されており、感光体ドラム４は保持部材８上をスムーズに動くことができるので、感光体ドラム４の交換作業性を損なうことがない。
【００１９】
図１に示す如く、第二端面部材３を装着した状態では、保持部材８が第二端面部材３に押されることで感光体ドラム４の内周面から離れる位置に退避する。それにより保持部材８の感光体ドラム４の内周面に対する押圧が解除されるので、感光体ドラム４を印刷装置内に固定する際に感光体ドラム４がリブ部材６に片辺りし、斜めに固定される等の取付け精度面での不具合を防止することが出来る。
【００２０】
本実施形態による構成は、複雑な構成を必要とせず、且つ、感光体ドラム４の装填部だけで実現が可能であり、また、構成が簡単であるので、コストの増大を抑えることができる。
【００２１】
尚、図３に示す如く、保持部材８が感光体ドラム４の内面方向に突出した状態における駆動軸１中心と保持部材８の感光体ドラム８の内周面に当接する部分との距離１Ｌは、具体的には感光体ドラム４の内周半径２Ｌより１ｍｍ程度大きい構成とすることが望ましい。この理由として、保持部材８が感光体ドラム４の内面方向に突出した状態における駆動軸１中心と保持部材８の感光体ドラム４の内周面に当接する部分との距離１Ｌが大きすぎると、感光体ドラム４の着脱時に保持部材８を押し下げるために大きな力が必要となる為である。
【００２２】
上記の本実施の形態によれば、感光体ドラムの内周面に接近して軸方向に延在する複数のリブ部材に、感光体ドラムの内周面を押圧支持する保持部材を、感光体ドラムの内周面に対し進退可能に設けているので、保持部材が感光体ドラムをガイドすることで、感光体ドラムががたつくことが無く、感光体ドラムと周辺機器との接触を防止することがきる。
【００２３】
また、感光体ドラムの内周面に接近して軸方向に延在するリブ部材に設けられた感光体ドラムの内周面を押圧支持する保持部材を、駆動軸に着脱自在に支持された第二端面部材を装着した時には退避し、第二端面部材が取外されたときは感光体ドラムを押圧する位置に突出するように設けているので、感光体ドラム交換動作時は、保持部材が感光体ドラムの内面に押し付けられることで、感光体ドラムががたつくことが無く、感光体ドラムと接する周辺機器との接触を防止することがき、且つ、感光体ドラムを印刷装置固定するときは第二端面部材を取り付けることによって、保持部材の感光体ドラムの内周面に対する押圧が解除されるので、感光体ドラムがリブ部材に片辺りし、斜めに固定される等の取付け精度面での不具合を防止することが出来る。
【００２４】
また、感光体ドラムの内周面に接近して軸方向に延在するリブ部材に設けられた感光体ドラムの内周面を押圧支持する保持部材には、感光体ドラムの内周面に当接する部分に、感光体ドラム内周面との摩擦を軽減する摩擦軽減部材が設けられているので、感光体ドラムは交換動作時に保持部材上をスムーズに動くことができるので、感光体ドラムの交換作業性を損なうことがない。
【００２５】
なお、上述する各実施の形態は、本発明の好適な実施の形態であり、本発明の要旨を逸脱しない範囲内において種々の変更実施が可能である。上記の感光ドラム装置を有する電子写真式印刷装置も本発明の範囲内である。
【符号の説明】
【００２６】
１    駆動軸
２    第一端面部材
３    第二端面部材
４    感光体ドラム
５    ノブ
６    リブ部材
７    取手部材
８    保持部材
９    リンク
１０    弾性体
１１    摩擦軽減部材
１２    露光装置
１３    現像機
１４    転写部
【先行技術文献】
【特許文献】
【００２７】
【特許文献１】特開２００８−１４５５１１号公報
【特許文献２】特開平０５−２８９５８８号公報
【特許文献３】特開２００８−２０３４２５号公報
【図１】
2011053480.tif 000003
【図２】
2011053480.tif 000004
【図３】
2011053480.tif 000005
【図４】
2011053480.tif 000006
【図５】
2011053480.tif 000007